(57)【特許請求の範囲】
【請求項１】
液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に、塗布部側開口には凸状に変形可能な円板状の弾性体が設けられ、弾性体には開口が設けられており、さらに前記弁室には前記弁体が配され、塗布部を押圧することにより弁体が移動して塗布部側開口と溜部側開口の双方を閉塞し、その後塗布部側開口を開放し、塗布部を押圧しない状態において弁体は塗布部側開口を閉塞する一方、溜部側開口は開放することを特徴とする塗布具。
【請求項２】
塗布部側開口又はこれと接する弁体のいずれかのシール部に前記弾性体が配されていることを特徴とする請求項１に記載の塗布具。
【請求項３】
液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に前記弁体が配されていて弁体は溜部側開口と塗布部側開口を閉塞可能であり、塗布部側開口又はこれと接する弁体のいずれかのシール部に円板状の弾性体が配され、弾性体には開口が設けられており、塗布部を押圧することにより弁体が移動し、塗布部側のシール部に設けられた弾性体が変形することによって塗布部側開口の閉塞を維持しつつ他方の溜部側開口を閉塞し、その後塗布部側開口を開放し、塗布部を押圧しない状態において弁体はバネに押されて塗布部側のシール部に設けられた弾性体を凸状に変形して塗布部側開口を閉塞する一方、溜部側開口は開放することを特徴とする塗布具。
【請求項４】
液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に前記弁体が配されていて弁体は溜部側開口と塗布部側開口を閉塞可能であり、塗布部側開口又はこれと接する弁体のいずれかのシール部に円板状の弾性体が配され、弾性体には開口が設けられており、弁体は溜部側開口と塗布部側開口のシール部を同時に封鎖可能な大きさであり、弁体は塗布部側開口に向かって付勢されていて、塗布部側のシール部に設けられた弾性体は付勢された弁体に押されて凸状に変形した状態で塗布部側開口を閉塞する一方、溜部側開口は開放され、塗布部を押圧することにより弁体が移動し、塗布部側のシール部に設けられた弾性体が変形することによって塗布部側開口の閉塞を維持しつつ他方の溜部側開口を閉塞し、その後塗布部側開口を開放することを特徴とする塗布具。
【発明の詳細な説明】
【０００１】
【発明の属する技術分野】
本発明は、フェルトチップペン、ラインマーカ、ホワイトボートマーカや修正具等の塗布具に関するものであり、より詳細には弁を内蔵していて塗布部を押し込むことにより、弁を開放し、内部の液体を流出させる塗布具に関するものである。
【０００２】
【従来の技術】
ペン先に適量のインキを流出させるために、弁が内蔵された塗布具が知られている。図４は、従来技術の弁が内蔵された塗布具の断面図である。
【０００３】
従来技術の塗布具１００は、塗布具本体１００がインキを溜めるインキ溜部１０２として機能し、塗布具本体１００内に弁１０３が内蔵されたものである。塗布具１００では、該塗布具本体１００の先端部に保持されたペン先１０１を押し込むことにより、前記弁１０３が開放され、塗布具本体１００内のインキが流出する。
【０００４】
従来技術の塗布具１００で採用する弁１０３は、弁座部材１０６と支持体１０７、弁体１０８及びバネ１０９によって構成される。そして弁１０３は、弁座部材１０６と支持体１０７が一体的に嵌合して弁室１１０を形成し、この弁室１１０に弁体１０８が内蔵されたものである。ここで従来技術で採用する弁室１１０は、枠体で囲まれた様な形状であり、密閉空間ではない。そのため弁室１１０には側面部分からインキが出入りする。また弁室１１０には弁座部材１０６によって構成される前部開口１１１と、支持体１０７に設けられた後部開口１１２が設けられている。弁体１０３は、全体形状が棒状であり中間に大径部が設けられている。弁体１０３は、大径部が弁室１１０内にあり、両端部がそれぞれ前後の開口１１１，１１２から突出している。また弁体１０３は、バネ１０９によって常に弁座部材１０６に向かって付勢されている。そのため弁体１０３によって前部開口１１１は常時閉塞されている。
【０００５】
上記塗布具１００を使用する場合には、紙等にペン先１０１を押しつけ、ペン先１０１を塗布具１００の本体１００内に数回押し込む。その結果弁体１０３は弁座部材１０６を離れ、インキ溜部１０２のインキがペン先１０１側に流れる。従来技術の塗布具１００では、前記した様に弁室１１０は枠状であって密閉されていない。また弁室１１０の後方に設けられた後部開口１１２は、単なるガイド穴に過ぎず、弁としての機能はない。
【０００６】
【発明が解決しようとする課題】
従来技術の塗布具１００は、弁１０３によってインキの流量が制限されるので、インキのぼたつきが少ない。しかしながら従来技術の塗布具１００は、常時、弁１０３によってインキ溜部１０２が閉め切り状態となっている。そのため気温の上昇等により内部のガスが膨張し、インキ溜部１０２の内圧が上昇することがある。この様にインキ溜部１０２内が高圧となっている時にペン先１０１を押圧すると、弁１０３が開放されて内部のインキが吹き出す。そのため従来技術の塗布具１００は、吹き出したインキによって塗布面を汚してしまうという問題がある。そこで本発明は、従来技術の上記した問題点に注目し、インキ溜部の中が高圧状態となってもインキが吹き出さない塗布具の開発を課題とするものである。
【０００７】
【課題を解決するための手段】
そして上記した課題を解決するための請求項１に記載の発明は、液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に、塗布部側開口には凸状に変形可能な円板状の弾性体が設けられ、弾性体には開口が設けられており、さらに前記弁室には前記弁体が配され、塗布部を押圧することにより弁体が移動して塗布部側開口と溜部側開口の双方を閉塞し、その後塗布部側開口を開放し、塗布部を押圧しない状態において弁体は塗布部側開口を閉塞する一方、溜部側開口は開放することを特徴とする塗布具である。
【０００８】
本発明の塗布具で採用する弁は、常時において弁体が塗布部側開口を閉塞している。そのため筆記の際に液体が過度に流れ出ることがなく、インキ等のぼたつきはない。また本発明の塗布具では、弁体の溜部側開口から弁室内にインキ等が流れ込み、弁室内にインキ等が溜まる。そして塗布部を押すと塗布部と連動して弁体が移動し、塗布部側開口と溜部側開口の双方を閉塞する。従って、この段階で、塗布部は液体溜部と遮断される。そしてその後塗布部側開口を開放する。その結果、弁室内に溜まったインキ等が塗布部側に流れ込むが、本発明の塗布具では、弁体は塗布部側開口と溜部側開口の双方を閉塞し、その後一方の開口を開放するので、塗布部側開口が開く時には、常に溜部側開口は閉塞されている。そのためインキ等が流出する際には、塗布部側と液体溜部は遮断され、塗布部側は液体溜部の圧力の影響を受けない。従って液体溜部内が高圧であっても、インキ等が吹き出すことはない。
【０００９】
【００１０】
本発明の塗布具では、塗布部側開口及び溜部側開口の少なくとも一方に弾性体が設けられ、弾性体には開口が設けられている。従って本発明の塗布具では、弾性体の開口を弁体で閉塞することとなる。本発明の塗布具では、弁体をもって弾性体の開口を閉塞するものであるから、弾性体が変形することにより開口を閉塞した状態を維持したままで弁体が移動し得る。そのため弁体は塗布部側開口と溜部側開口の双方を閉塞し、一方の閉塞状態を維持したままで他方の開口を開放する構成を採用しやすい。
【００１１】
請求項２に記載の発明は、塗布部側開口又はこれと接する弁体のいずれかのシール部に前記弾性体が配されていることを特徴とする請求項１に記載の塗布具である。
【００１２】
本発明の塗布具では、塗布部側開口及び溜部側開口の開口側、あるいは弁体側のシール部に弾性体が配されている。従って本発明の塗布具では、弾性体が変形することにより開口を閉塞した状態を維持したままで弁体が移動し得る。そのため弁体は塗布部側開口と溜部側開口の双方を閉塞し、一方の閉塞状態を維持したままで他方の開口を開放する構成を採用しやすい。
【００１３】
また請求項３に記載の発明は、液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に前記弁体が配されていて弁体は溜部側開口と塗布部側開口を閉塞可能であり、塗布部側開口又はこれと接する弁体のいずれかのシール部に円板状の弾性体が配され、弾性体には開口が設けられており、塗布部を押圧することにより弁体が移動し、塗布部側のシール部に設けられた弾性体が変形することによって塗布部側開口の閉塞を維持しつつ他方の溜部側開口を閉塞し、その後塗布部側開口を開放し、塗布部を押圧しない状態において弁体はバネに押されて塗布部側のシール部に設けられた弾性体を凸状に変形して塗布部側開口を閉塞する一方、溜部側開口は開放することを特徴とする塗布具である。
【００１４】
本発明の塗布具で採用する弁は、常時において弁体が塗布部側開口を閉塞している。そのため筆記の際に液体が過度に流れ出ることがなく、インキ等のぼたつきはない。また本発明の塗布具では、弁体の溜部側開口から弁室内にインキ等が流れ込み、弁室内にインキ等が溜まる。また本発明の塗布具では、塗布部側開口又はこれと接する弁体のいずれかのシール部、及び溜部側開口又はこれと接する弁体のいずれかのシール部に弾性体が配されており、常時において弁体は塗布部側のシール部に設けられた弾性体を変形して塗布部側開口を閉塞している。そして塗布部を押すと塗布部と連動して弁体が移動するが、本発明の塗布具では、前記した様に弾性体を変形して塗布部側を閉塞しているので、一定の移動範囲内では、塗布部側のシール部に設けられた弾性体が変形することによって塗布部側開口の閉塞状態を維持する。そのため塗布部側開口と溜部側開口の双方を閉塞する状態となる。従って、この段階で、塗布部は液体溜部と遮断される。そしてその後塗布部側開口を開放する。その結果、弁室内に溜まったインキ等が塗布部側に流れ込むが、本発明の塗布具では、弁体は塗布部側開口と溜部側開口の双方を閉塞し、その後一方の開口を開放するので、塗布部側開口が開く時には、常に溜部側開口は閉塞されている。そのためインキ等が流出する際には、塗布部側と液体溜部は遮断され、塗布部側は液体溜部の圧力の影響を受けない。従って液体溜部内が高圧であっても、インキ等が吹き出すことはない。
【００１５】
また請求項４に記載の塗布具は、液体溜部と塗布部を備え、両者の間に弁が介在された塗布具において、弁は弁体と弁室を有し、前記弁室には液体溜部と連通する溜部側開口と塗布部と連通する塗布部側開口が設けられていると共に前記弁体が配されていて弁体は溜部側開口と塗布部側開口を閉塞可能であり、塗布部側開口又はこれと接する弁体のいずれかのシール部に円板状の弾性体が配され、弾性体には開口が設けられており、弁体は溜部側開口と塗布部側開口のシール部を同時に封鎖可能な大きさであり、弁体は塗布部側開口に向かって付勢されていて、塗布部側のシール部に設けられた弾性体は付勢された弁体に押されて凸状に変形した状態で塗布部側開口を閉塞する一方、溜部側開口は開放され、塗布部を押圧することにより弁体が移動し、塗布部側のシール部に設けられた弾性体が変形することによって塗布部側開口の閉塞を維持しつつ他方の溜部側開口を閉塞し、その後塗布部側開口を開放することを特徴とする塗布具である。
【００１６】
本発明の塗布具の作用は、前記した請求項３と略同様であり、塗布部側開口が開く時には、常に溜部側開口は閉塞され、インキ等が流出する際には、塗布部側と液体溜部は遮断され、液体溜部内が高圧であっても、インキ等が吹き出すことはない。また本発明の塗布具では、特に弁体は溜部側開口と塗布部側開口のシール部を同時に封鎖可能な大きさである。そして弁体は塗布部側開口に向かって付勢されていて塗布部側開口のシール部に設けられた弾性体は変形状態で弁体と接する一方、溜部側開口は開放されている。そのため弁体が溜部側に移動すると、塗布部側のシール部に設けられた弾性体が変形することによって塗布部側開口の閉塞を維持しつつ他方の溜部側開口を閉塞し、その後塗布部側開口を開放することとなる。
【００１７】
【発明の実施の形態】
以下にさらに本発明の実施形態について説明する。図１は、本発明の実施形態の塗布具の断面図である。図２は、図１の塗布具の部分拡大図であり、弁の動作を説明するものである。図３は、本発明の他の実施形態の塗布具の部分拡大図である。
【００１８】
図１及び図２において、１は本発明の塗布具を示す。塗布具１は、容器２、先栓３、ペン先（塗布部）５、弁６及びキャップ７によって構成される。尚、容器２及び先栓３により塗布具本体４が構成されている。以下、各部材の構成について説明する。
【００１９】
容器２は、インキ溜部（液体溜部）２ａとして機能するものであり、端部が開口し、他端が閉塞した筒形状である。本実施形態で採用する容器２は、開放側がやや小径に作られ、さらに当該部分にはネジが設けられている。容器２は、アルミニウム、ステンレススチール、鋼材等を素材とした深絞り成形、押出成形、しごき成形や、合成樹脂を素材とした射出成形やブロー成形、あるいは、ガラスの吹き込み成形等によって成形される。
【００２０】
先栓３は合成樹脂の射出成形等によって作られたものであり、外形は３段階に先細になった形状であり、内部は長手方向に連通する。内部の連通穴１０は、容器２と同軸心状に設けられている。また先栓３の太い側の内部にはネジが設けられている。尚、貫通穴１０には、ペン先５の中心を後記する弁体１６の中心に一致させると共に、先栓３とペン先５との間に通気孔を確保するための複数の突条（図示省略）が設けられている。
【００２１】
ペン先（塗布部）５は断面円形状を呈し且つその先端は、凸状の球面を有するチップからなる。チップの種類としては、特に限定されるものではないが、例えば、毛細現象によりインキを先端からにじみ出す繊維束チップや、軸方向に微小な貫通孔或いは貫通溝（図示省略）を有するチップ、ポーラス（焼結体）からなるチップが挙げられる。
【００２２】
弁６は、容器２及び先栓３に内蔵され、外装部材１１、内装部材１２、後端側弾性体１３、前端側弾性体１５、弁体１６及びバネ１７によって構成されている。すなわち外装部材１１は全体形状が筒状であり、先端部にフランジ２０が設けられ、フランジ２０の直近の部位の外径が容器２の開口部の内径に等しく、他の部位はやや細く作られている。外装部材１１は、長手方向に連通している。すなわち外装部材１１の大径側は開放されている。また外装部材１１の小径側には、溜部側開口２２が設けられている。溜部側開口２２の内面にはリブ２３が設けられている。溜部側開口２２の周辺部分はシール部として機能する。外装部材１１の内部に目を移すと、外装部材１１の内部には、その中央近傍に段部１９があり、当該段部を境として開放側の内径は大きく、溜部側開口２２側はやや小径に作られている。
【００２３】
内装部材１２は、フランジ部２５と筒状部２６によって構成され、フランジ部２５の外径は外装部材１１の開放端の外径と等しく、筒状部２６の外径は、外装部材１１の開放側の内径に等しい。また筒状部２６の長さは、外装部材１１の開放側から段部１９までの距離よりも２ｍｍから５ｍｍ程度短い。
【００２４】
弁体１６は棒状であり、先端近傍が太くなっていて円錐部３０が設けられている。また円錐部３０の後方は、ほぼ均一な棒状部３２が続き、段部３１を境として後端部はやや細く作られている。また最後端部は尖っている。本実施形態の塗布具１において、弁体１６の大きさは、特殊である。即ち、弁体１６の円錐部３０と段部３１間の長さは、弁体１６を組み立てた状態の時、溜部側開口２２と塗布部側開口３５のシール部を同時に封鎖可能な大きさである。
【００２５】
後端側弾性体１３は、ゴム又は樹脂を素材とする円板状であり、中央に開口３３が設けられている。また前端側弾性体１５も同様にゴム又は樹脂を素材とする円板状であり、中央に開口３６が設けられている。
【００２６】
次に弁６の組み立て構造を説明する。弁６では、外装部材１１の内部に内装部材１２が挿入されている。そして内装部材１２の端部と外装部材１１の段部１９の間で前端側弾性体１５の外周部分が挟み込まれ、当該部分に前端側弾性体１５が固定されている。一方後端側弾性体１３は、外装部材１１の内部にあって溜部側開口２２の近くに固定されている。また弁体１６は、外装部材１１の内部にあり、その大部分が前端側弾性体１５と後端側弾性体１３の間に位置する。すなわち本実施形態の塗布具１では、外装部材１１の内部であって、前端側弾性体１５と後端側弾性体１３によって囲まれる部分が弁室３５として機能する。また前端側弾性体１５の開口が塗布部側開口３６として機能し、その周辺部分はシール部として機能する。本実施形態の塗布具１では、従来技術と異なり弁室３５は密閉状態となり得る。バネ１７は、弁体１６に外装され、弁体１６の円錐部３０を常時、前端側弾性体１５に押圧している。常時においては、前端側弾性体１５は弁体１６に押されて捲れる様に先端側に凸状に変形している。
【００２７】
本実施形態の塗布具１の全体的な組み立て構造は次の通りである。すなわち弁６は、容器２の開放端から容器の内部に挿入され、フランジ２０が容器の端面に当接している。そして容器２の開放端には先栓３が取り付けられている。またペン先５は、先栓３の穴１０に摺動可能に挿入され、先端部は先栓３から外に突出し、後端部は弁体１６の先端と当接している。
【００２８】
また先栓３の内部にはスポンジ等のインキ吸収体３８が設けられている。さらに容器２の内部にはインキが内蔵され、攪拌用の球４０が内蔵されている。
【００２９】
次に、本実施形態の塗布具１の作用について説明する。本実施形態の塗布具１の、常時、すなわち筆記していない状態の時の様子は、図２（ａ）の様であり、弁体１６はバネ１７に押されて塗布部側開口３６たる前端側弾性体１５と当接している。この時、前記した様に前端側弾性体１５は弁体１６に押されて先端側に凸状に変形している。また前端側弾性体１５は、バネ１７の付勢力によって中央部分がペン先５側に突出している。ここで本実施形態で採用する弁体１６は、円錐部３０を持ち、前端側弾性体１５と当接する部位の形状が円錐形であるため、前端側弾性体１５の形状が凸形となっても、円錐部３０は前端側弾性体１５から離れず、液密性を維持する。従って常時、弁室３５の塗布部側開口３６は閉塞されている。そのためインキはペン先５側に流れない。
【００３０】
一方、弁体１６の後端側の段部３１は、後部弾性体１３を離れている。従って常時、弁室３５の溜部側開口２２は開放されている。そのためインキ溜部２ａと弁室３５は流通し、インキ溜部２ａ内のインキは弁室３５に流れ込む。
【００３１】
次に、筆記をするべくペン先５を紙等に押しつけるとペン先５の移動に伴って弁体１６がインキ溜部２ａ側に移動する。そして図５（ｂ）の様に弁体１６の後端側の段部３１が後部弾性体１３と当接する。その結果弁室３５の溜部側開口２２が閉塞される。しかしながら、弁体１６の段部３１が後部弾性体１３と当接した時点では、まだ前端側弾性体１５の変形は完全に回復しておらず、弁体１６の円錐部３０は前端側弾性体１５が変形することによって前端側弾性体１５と当接した状態を維持している。その結果、当初弁室３５は図２（ａ）の様に塗布部側開口３６が閉塞され、溜部側開口２２が開放されていたが、ペン先５の移動に応じて塗布部側開口３６と溜部側開口２２の双方が閉塞された状態となる。
【００３２】
さらに続いてペン先５を押圧し、弁体１６の移動が進むと、図２（ｃ）の様に前端側弾性体１５の変形が戻り、円錐部３０が前端側弾性体１５を離れて塗布部側開口３６が開放される。そのため弁室３５内に溜まっていたインキが塗布部側開口３６から流れだし、ペン先５を潤す。一方、弁室３５の溜部側については、弁体１６の後端側の段部３１が後部弾性体１３を押し続け、溜部側開口２２は、閉塞状態を維持している。即ち後部弾性体１３は、弁体１６によって押されて変形するものの、変形することによって溜部側開口２２を閉塞する状態を維持している。そのためインキ溜部２ａは、ペン先５側と遮断されている。従ってインキ溜部２ａ内の圧力が高くても、先栓３からインキが吹き出すことはない。
【００３３】
以上説明した実施形態では、溜部側開口２２を閉塞する弁及び塗布部側開口３６を閉塞する弁として弾性体に円錐部３０又は段部３１を当接させたものを例示したが、他の構造の弁を採用することも可能である。図３は、溜部側開口２２を閉塞する弁の構造を変形したものであり、溜部側開口２２に設けられた弾性体１５'の開口径を弁体１６'の軸部分の外径と略一致させたものである。本実施形態の塗布具１'では、ペン先５の移動により、弁体１６'が移動し、図３（ｂ）の様に弁体１６'の後端部分が弾性体１５'の開口にはまり込んで、溜部側開口２２を閉塞する。図３に示す塗布具１'の他の部位の説明は、前記した実施形態と同一であるから、同一の番号を付して詳細な説明を省略する。
【００３４】
以上の実施形態では、前端側弾性体１５は弁体１６に押されて図２の様に捲れる様に変形するものを例示した。図２の様に変形する弾性体は、変形量が大きく、本発明の塗布具に採用するものとして好適であるが、単に圧縮状に変形するものであっても良い。またバネ等のゴム以外の弾性体の弾性を活用するものであっても良い。
【００３５】
また以上の実施形態では、溜部側開口２２及び塗布部側開口３６に弾性体を設け、弾性体が変形することを利用して溜部側開口２２と塗布部側開口３６の双方が閉塞されるタイミングを実現したが、開口側に代わって弁体側に弾性体を設けても同様の作用を発揮させることができる。
【００３６】
【発明の効果】
請求項１，４，５に記載の塗布具は、特別の弁構造を採用し、常時において弁体は塗布部側開口を閉塞し、インキ等の流出を制限するが、塗布部を押すことにより弁体が移動し、塗布部側開口と溜部側開口の双方を閉塞した後に塗布部側開口を開放する。そのためインキ等が流出する際には、塗布部側と液体溜部は遮蔽され、塗布部側は液体溜部の圧力の影響を受けない。従って本発明の塗布具は、液体溜部内が高圧であっても、インキ等が吹き出すことはないという効果がある。
【００３７】
また請求項２に記載の塗布具では、弁の一部に弾性体を採用することにより、開口を閉塞した状態を維持したままで弁体が移動し得る。そのため本発明によると、弁体が塗布部側開口と溜部側開口の双方を閉塞し、一方の閉塞状態を維持したままで他方の開口を開放する構成を採用しやすい。
【００３８】
さらに請求項３に記載の塗布具では、本発明の塗布具では、塗布部側開口又はこれと接する弁体のいずれかのシール部、及び溜部側開口又はこれと接する弁体のいずれかのシール部に弾性体が配されているので、弾性体が変形することにより開口を閉塞した状態を維持したままで弁体が移動し得る。そのため弁体は塗布部側開口と溜部側開口の双方を閉塞し、一方の閉塞状態を維持したままで他方の開口を開放する構成を採用しやすい。
【図面の簡単な説明】
【図１】  本発明の実施形態の塗布具の断面図である。
【図２】  図１の塗布具の部分拡大図であり、弁の動作を説明するものである。
【図３】  本発明の他の実施形態の塗布具の部分拡大図である。
【図４】  従来技術の弁が内蔵された塗布具の断面図である。
【符号の説明】
１  塗布具
２  容器
２ａ  インキ溜部（液体溜部）
３  先栓
５  ペン先（塗布部）
６  弁
１１  外装部材
１２  内装部材
１３  後端側弾性体
１５  前端側弾性体
１６  弁体
１７  バネ
２２  溜部側開口
３０  円錐部
３１  段部
３５  弁室
３６  塗布部側開口
【図１】
0004482180.tif 000002
【図２】
0004482180.tif 000003
【図３】
0004482180.tif 000004
【図４】
0004482180.tif 000005